(57)【特許請求の範囲】
【請求項１】
内側スライダ、この内側スライダの外周にスライド可能に組み合わされる外側スライダ、これら内側スライダ又は外側スライダの何れか一方に所定の間隔を空けて長さ方向で配列して設けた複数の係止凹部、これら係止凹部に係入可能な爪部を有する係止爪、この係止爪を係入方向に付勢する係入付勢手段、上記係止爪に係止凹部への係入を不能とする状態を与える係入不能状態付与手段、この係入不能状態付与手段で与えられた係入不能状態を維持する係入不能状態維持手段、及び内側スライダと外側スライダに伸び方向スライドのための付勢力を与える伸び方向付勢手段を備えており、内側スライダ又は外側スライダが伸び方向付勢手段の付勢力に抗して押されることで縮み方向のスライドをなし、これに際して係止爪が複数の係止凹部に、これらの上記配列方向で順次係入して段階的に縮み、最短まで縮んだ状態でさらに押されることにより、係入不能状態付与手段が係止爪を係入不能状態とすると共に係入不能状態維持手段がこの状態を維持し、この間に伸び方向付勢手段の付勢力により、内側、外側両スライダが相対的に最長状態まで伸び方向のスライドをなし、最長状態になると、係入不能状態解除手段により、係止爪の係入不能状態が解除されるようになっている段階的伸縮機構であって、係止爪は、内側スライダ又は外側スライダに回動可能に組み付けられており、この係止爪が係入付勢手段の付勢力を受けて回動することでその爪部を上記係止凹部に係入させ、この状態で伸び方向付勢手段の付勢力を受けて係止爪が内側スライダを外側スライダに対し押し付けることで、内側スライダと外側スライダに、伸び方向付勢手段の付勢力に抗した固定状態を与えるようにされ、係入不能状態付与手段は、内側スライダ又は外側スライダに係止凹部の配列延長位置で設けた係入不能化用ガイド部として形成され、最短まで縮んだ状態で内側スライダ又は外側スライダがさらに押された際に、この係入不能化用ガイド部に係止爪が押接することで生じる分力により係止爪を非係入方向へ所定の状態まで回動させるようにされ、係入不能状態維持手段は、内側スライダ又は外側スライダに設けた係止受け部と係止爪に設けた係止部との組み合わせで形成され、上記係入不能化用ガイド部による係止爪の所定状態までの回動により係止部が係止受け部に係止することで係止爪を係入不能状態とするようにされ、係入不能状態解除手段は、伸び方向付勢手段の付勢力により最長状態になった際に係止爪に押接手段を押接させることで、係止爪を係入方向へ回動させて上記固定状態を解除するようにされてなる段階的伸縮機構。
【請求項２】
内側スライダ、この内側スライダの外周にスライド可能に組み合わされる外側スライダ、上記内側スライダに所定の間隔を空けて長さ方向で配列して設けた複数の係止凹部、これら係止凹部に係入可能な爪部を有する係止爪、この係止爪を係入方向に付勢する係入付勢手段、上記係止爪に係止凹部への係入を不能とする状態を与える係入不能状態付与手段、この係入不能状態付与手段で与えられた係入不能状態を維持する係入不能状態維持手段、及び内側スライダと外側スライダに伸び方向スライドのための付勢力を与える伸び方向付勢手段を備えており、内側スライダ又は外側スライダが伸び方向付勢手段の付勢力に抗して押されることで縮み方向のスライドをなし、これに際して係止爪が複数の係止凹部に、これらの上記配列方向で順次係入して段階的に縮み、最短まで縮んだ状態でさらに押されることにより、係入不能状態付与手段が係止爪を係入不能状態とすると共に係入不能状態維持手段がこの状態を維持し、この間に伸び方向付勢手段の付勢力により、内側、外側両スライダが相対的に最長状態まで伸び方向のスライドをなし、最長状態になると、係入不能状態解除手段により係止爪の係入不能状態が解除されるようになっている段階的伸縮機構であって、係止爪は、内側、外側両スライダのスライド方向と交差する方向にスライド可能にして外側スライダに組み付けられ、係入付勢手段の付勢力を受けて係入方向へスライドしてその爪部を内側スライダの係止凹部に係入させることで、内側スライダと外側スライダに、伸び方向付勢手段の付勢力に抗した固定状態を与えるようにされ、係入不能状態付与手段は、内側スライダに係止凹部の配列延長位置で設けた係入不能化用ガイド部として形成され、最短まで縮んだ状態で内側スライダ又は外側スライダがさらに押された際に、この係入不能化用ガイド部に係止爪が押接することで生じる分力により係止爪を非係入方向へ所定の状態までスライドさせるようにされ、係入不能状態維持手段は、外側スライダに設けた係止受け部と係止爪に設けた係止部との組み合わせで形成され、上記係入不能化用ガイド部による係止爪の所定状態までのスライドにより係止部が係止受け部に係止することで係止爪を係入不能状態とするようにされ、係入不能状態解除手段は、伸び方向付勢手段の付勢力により最長状態になった際に係止爪に押接手段を押接させることで、係止爪を係入方向へスライドさせて上記固定状態を解除するようにされてなる段階的伸縮機構。
【発明の詳細な説明】
【０００１】
【発明の属する技術分野】
本発明は、例えば換気装置の通気路を開閉するための機構や自動車の座席に設けられるヘッドレストの高さ調節のための機構などとして利用可能な伸縮機構に関する。
【０００２】
【従来の技術】
例えば実公平６−１２４７０号として、換気装置の通気路開閉部材を作動させるために用いた出没動作による伸縮機構が知られており、また実公昭６３−９７６２号として、伸縮機構としても利用可能なスライド機構が知られている。実公平６−１２４７０号における伸縮機構は押すだけのワンタッチ式操作で出没動を行なわせることができ、操作性に優れている。しかしこの機構では多段的な伸縮構造、つまり長さを段階的に変える構造とするのが困難であり、機能性に制限がある。一方実公昭６３−９７６２号におけるスライド機構は、多段的な伸縮が可能であるが、伸び方向、縮み方向の何れについても外部的に操作を加える必要があり、例えば実公平６−１２４７０号に開示されるような換気装置、あるいは自動車のヘッドレストのように、押す操作は行ない易くても引っ張る操作が困難である機器などに用いるには操作性に難がある。
【０００３】
【発明が解決しようとする課題】
本発明は、このような事情を背景になされたもので、多段的な伸縮を押すだけのワンタッチ式操作で可能とする伸縮機構の提供を目的としている。
【０００４】
【課題を解決するための手段】
本発明による段階的伸縮機構は、内側スライダ、この内側スライダの外周にスライド可能に組み合わされる外側スライダ、これら内側スライダ又は外側スライダの何れか一方に所定の間隔を空けて長さ方向で配列して設けた複数の係止凹部、これら係止凹部に係入可能な爪部を有する係止爪、この係止爪を係入方向に付勢する係入付勢手段、上記係止爪に係止凹部への係入を不能とする状態を与える係入不能状態付与手段、この係入不能状態付与手段で与えられた係入不能状態を維持する係入不能状態維持手段、及び内側スライダと外側スライダに伸び方向スライドのための付勢力を与える伸び方向付勢手段を備えており、内側スライダ又は外側スライダが伸び方向付勢手段の付勢力に抗して押されることで縮み方向のスライドをなし、これに際して係止爪が複数の係止凹部に、これらの上記配列方向で順次係入して段階的に縮み、最短まで縮んだ状態でさらに押されることにより、係入不能状態付与手段が係止爪を係入不能状態とすると共に係入不能状態維持手段がこの状態を維持し、この間に伸び方向付勢手段の付勢力により、内側、外側両スライダが相対的に最長状態まで伸び方向のスライドをなし、最長状態になると、係入不能状態解除手段により、係止爪の係入不能状態を解除する構造を基本としている。
【０００５】
そして上記のような基本構造に加えて、一つの形態では、係止爪は、内側スライダ又は外側スライダに回動可能に組み付けられており、この係止爪が係入付勢手段の付勢力を受けて回動することで、その爪部を上記係止凹部に係入させ、この状態で伸び方向付勢手段の付勢力を受けて係止爪が内側スライダを外側スライダに対し押し付けることで内側スライダと外側スライダに、伸び方向付勢手段の付勢力に抗した固定状態を与えるようにされ、係入不能状態付与手段は、内側スライダ又は外側スライダに係止凹部の配列延長位置で設けた係入不能化用ガイド部として形成され、最短まで縮んだ状態で内側スライダ又は外側スライダがさらに押された際に、この係入不能化用ガイド部に係止爪が押接することで生じる分力により係止爪を非係入方向へ所定の状態まで回動させるようにされ、係入不能状態維持手段は、内側スライダ又は外側スライダに設けた係止受け部と係止爪に設けた係止部との組み合わせで形成され、上記係入不能化用ガイド部による係止爪の所定状態までの回動により係止部が係止受け部に係止することで係止爪を係入不能状態とするようにされ、係入不能状態解除手段は、伸び方向付勢手段の付勢力により最長状態になった際に係止爪に押接手段を押接させることで係止爪を係入方向へ回動させて上記固定状態を解除するようにされている。
【０００６】
また他の形態では、係止爪は、内側、外側両スライダのスライド方向と交差する方向にスライド可能にして外側スライダに組み付けられ、係入付勢手段の付勢力を受けて係入方向へスライドしてその爪部を内側スライダの係止凹部に係入させることで、内側スライダと外側スライダに、伸び方向付勢手段の付勢力に抗した固定状態を与えるようにされ、係入不能状態付与手段は、内側スライダに係止凹部の配列延長位置で設けた係入不能化用ガイド部として形成され、最短まで縮んだ状態で内側スライダ又は外側スライダがさらに押された際に、この係入不能化用ガイド部に係止爪が押接することで生じる分力により係止爪を非係入方向へ所定の状態までスライドさせるようにされ、係入不能状態維持手段は、外側スライダに設けた係止受け部と係止爪に設けた係止部との組み合わせで形成され、上記係入不能化用ガイド部による係止爪の所定状態までのスライドにより係止部が係止受け部に係止することで係止爪を係入不能状態とするようにされ、係入不能状態解除手段は、伸び方向付勢手段の付勢力により最長状態になった際に係止爪に押接手段を押接させることで、係止爪を係入方向へスライドさせて上記固定状態を解除するようにされている。
【０００７】
これらの本発明による段階的伸縮機構は、何れか一方のスライダを押すだけのワンタッチ式操作で伸縮動作をなさせることができ、押す操作は行ない易くても引っ張る操作が困難である装置などの機構要素として優れた適性がある。
【０００８】
【実施の形態】
本発明の第１の実施形態によると段階的伸縮機構は、図１〜図４に示すように、外側スライダ１、内側スライダ２、係止爪３、係入付勢手段４、及び伸び方向付勢手段５を主な要素とする。
【０００９】
外側スライダ１は、図の例のように一端を封鎖した角筒状に形成するか、あるいは円筒状に形成する。そして、その内側面に、係止爪３を後述のような組み付け状態で収納するための係止爪組込み部７を凹設する。またその係止爪組込み部７の内側面に係入不能状態維持手段の係止受け部として係止受け体８を設ける。この係止受け体８は、図５に拡大して示すようにクリップ状の構造とする。
【００１０】
内側スライダ２は、外側スライダ１の内部空隙内で摺動的にスライド可能な外部形状を与えて形成する。この内側スライダ２には、その一側面に、係止凹部形成用溝９を凹設し、この係止凹部形成用溝９の底に楔形状の係止凹部１０（１０ａ〜１０ｃ）を意図する伸縮段階数に応じた数だけ所定の間隔を空けて長さ方向で配列して設け、またこの配列の延長上、より具体的には係止凹部形成用溝９の端にある係止凹部１０ｃの端縁に連続する位置に、上記延長方向で登り傾斜となる傾斜面にして係入不能化用ガイド部１１を設ける。また内側スライダ２の先端部には、係止凹部１０の楔形状と対応する傾斜の傾斜端面２ｆを設ける。
【００１１】
係止爪３は、先端に爪部１２を設けると共に、この爪部１２に近接させて、図４及び図５に見られるような段構造にした係止部１４を設けた構造とし、その基端部に挿通する回動軸１５を介して外側スライダ１の係止爪組込み部７に回動可能に組み込む。
【００１２】
係入付勢手段４は、図の例のようにねじりコイルばね４ｓ（図４）で形成するか、あるいは引っ張りコイルばねなどで形成し、係止爪３に、その爪部１２が係止凹部１０に係入する方向の回動付勢力を与えるようにして組み込む。
【００１３】
伸び方向付勢手段５は、係入不能状態解除手段の押接手段である押接体１６を一端に接続した圧縮コイルばね１７の他端を外側スライダ１の封鎖側端で支持した構造とし、外側スライダ１に対し内側スライダ２を後述の伸縮動作における伸び方向にスライドさせる付勢力を与えるように形成する。
【００１４】
この実施形態による段階的伸縮機構の伸縮動作は以下のようにしてなされる。先ず全体的な動作として、外側スライダ１と内側スライダ２が前進スライド（外側スライダ１については図２中の矢印Ｘ、内側スライダ２について図２中の矢印Ｙ）又は後退スライド（外側スライダ１については図２中の矢印Ｖ、内側スライダ２について図２中の矢印Ｗ）を相対的になすことにより伸縮動作がなされ、前進スライドで縮み、後退スライドで伸びる。
【００１５】
次に具体的動作であるが、図２及び図６の（ａ）の状態が最長に伸びた状態であり、この状態では、係入方向への係入付勢手段４による付勢が後述のように係入不能状態維持手段で規制される状態を、押接体１６の押接により係止爪３を係入方向へ回動させることで解除している。そして係止爪３は、その爪部１２を内側スライダ２の先端の傾斜端面２ｆと押接体１６の上面で形成される凹部に係入させている。この状態で圧縮コイルばね１７の付勢力が働くと係止爪３は図２や図６の（ａ）において上方に回動しようとする付勢力を受け、この付勢力により内側スライダ２を外側スライダ１の内側面に押し付ける。つまり係止爪３が上方に回動しようとすると、係止爪３の先端が円弧の回動軌跡を持つことから、内側スライダ２を図２中の矢印Ｚの如く押して外側スライダ１の内側面に押し付ける。この結果、内側スライダ２と外側スライダ１は、圧縮コイルばね１７の付勢力に抗して互いに固定状態となる。
【００１６】
この状態から外側スライダ１又は内側スライダ２を前進スライド方向に押すと、係止爪３の爪部１２の先端が外側スライダ１の係止凹部形成用溝９の底に押接した状態（図３に二点鎖線で示すのと同様の状態）で両スライダが相対的に前進し（図６の（ｂ））、係止爪３の爪部１２が最初の係止凹部１０ａに至ると係入付勢手段４の回動付勢力により、この係止凹部１０ａに係入する。係止爪３の爪部１２が係止凹部１０（１０ａ〜１０ｃ）の何れかに係入した状態では、図２及び図６の（ａ）に関して上述したのと同様に、係止爪３が内側スライダ２を外側スライダ１の内側面に押し付け、これにより、内側スライダ２と外側スライダ１に、圧縮コイルばね１７の付勢力に抗した固定状態が得られる。すなわち圧縮コイルばね１７の付勢力に抗して伸び方向スライドが規制され、一定の長さを保つ（図６の（ｃ））。
【００１７】
この状態で外側スライダ１又は内側スライダ２を前進スライド方向に押せば、爪部１２の外側面が係止凹部１０ａの内側面に押接することで生じる押接力の分力により係止爪３が非係入方向へ回動し、その爪部１２が図３に二点鎖線で示すように係止凹部１０ａから外れ、これと共に係止爪３がその爪部１２を隣の係止凹部１０ｂに係入させ、これに応じた長さが得られる。
【００１８】
このようにして順次段階的に縮み、前進スライド側の端にある係止凹部１０ｃに係止爪３の爪部１２が係入している状態、つまり最短に縮んだ状態で外側スライダ１又は内側スライダ２を前進スライド方向に押すと、係止凹部１０の端縁に連続している係入不能化用ガイド部１１に係止爪３が押接し（図３及び図６の（ｄ））、これにより生じる押接力の分力により係止爪３が非係入方向へ大きく回動する。そしてこの回動により、係止爪３の係止部１４が係止受け体８に係止する（図３に一点鎖線で示す）。この状態では圧縮コイルばね１７の付勢力を規制する要素がなくなり、両スライダ１、２は圧縮コイルばね１７の付勢力で自動的に後退スライドし、図６の（ａ）に示す最長に伸びきった状態に戻る。
【００１９】
最長状態まで伸びきると、押接体１６が圧縮コイルばね１７の付勢力を受けつつ係止爪３に押接し、これにより係止爪３は係入方向へ回動する。そしてこの回動により、係止爪３の係止部１４が係止受け体８から外れ、この結果、係止爪３は、係入付勢手段４による付勢力で係入方向へ回動することが可能となる。
【００２０】
本発明の第２の実施形態による段階的伸縮機構は、図７〜図１１に示すようになる。この実施形態では外側スライダ２１に係止凹部２２（２２ａ〜２２ｃ）を設ける。一方、内側スライダ２３には係止爪組込み部２４を設け、係止爪２５を組み込む。係止爪２５は、第１の実施形態と同様に、先端部に爪部２６を有し、その基端部に挿通させた回動軸２６を支点に回動する構造とし、係入付勢手段２７として用いるねじりコイルばね２７ｓ（図１０及び図１１）でその爪部１２が係止凹部２２に係入する方向の回動付勢力を与えるようにする。
【００２１】
また係止爪組込み部２４の内側面に係入不能状態維持手段の係止受け部として係止受け突起２８を左右両側で設ける（図１１）。この係止受け突起２８は、図の例のように板ばね状のばね部２８ｓで支持させ、係止爪２５の回動方向と交差する方向に弾性的に出没動可能な構造とするか、あるいは固定的な構造とする。これに対応させて、係止爪２５には、係止受け突起２８と協働して係入不能状態維持手段をなす係止部２９を左右両側で突設させる（図１１）。
【００２２】
第２の実施形態による段階的伸縮機構の伸縮動作は、基本的には第１の実施形態による段階的伸縮機構のそれと同じである。具体的には、図７の（ａ）に示す最長に伸びた状態にあっては、係止爪２５は外側スライダ２１における端の係止凹部２２ａに係入している。この係入により内側スライダ２３と外側スライダ２１に伸び方向付勢手段３０の圧縮コイルばね３１の付勢力に抗した固定状態を保つことは第１の実施形態に関して説明したのと同様である。
【００２３】
この状態から外側スライダ２１又は内側スライダ２３を前進スライド方向に押すと、第１の実施形態の場合と同様にして係止爪２５がその爪部２６を係止凹部２２ｂ、２２ｃに順次係入させて縮み、またその縮み状態での長さを保つ。
【００２４】
このようにして順次段階的に縮み、前進スライド側の端にある係止凹部２２ｃに係止爪２５の爪部２６が係入して最短に縮んだ状態（図７（ｂ））で、さらに外側スライダ２１又は内側スライダ２３を前進スライド方向に押すと、係止凹部２２ｃの端縁に連続している係入不能化用ガイド部３２に係止爪２５が押接し（図７の（ｂ）及び図１０）、これにより生じる押接力の分力により係止爪２５が非係入方向へ大きく回動する（図７の（ｃ））。この回動は、係止爪２５の係止部２９が係止受け突起２８をこれに没動させつつ乗り越える角度までなされ、乗り越えた後には係入付勢手段２７による回動付勢を規制する状態で係止受け突起２８に係止する（図１０に一点鎖線で示す）。この状態では伸び方向付勢手段２７の付勢力を規制する要素がなくなり、両スライダ２１、２３は伸び方向付勢手段２７の付勢力で自動的に後退スライドし、図７の（ａ）に示す最長に伸びきった状態に戻る。
【００２５】
最長状態まで伸びきると、外側スライダ２１に、その端の係止凹部２２ａと連続する状態で押接手段として設けてある押接段部３３に圧縮コイルばね３１の付勢力を受けつつ係止爪２５が押接し、これにより係止爪２５は係入方向へ回動する。そしてこの回動により、係止爪２５の係止部２９が係止受け突起２８から外れ（図１０）、この結果、係止爪２５は、係入付勢手段２７による付勢力で係入方向へ回動することが可能となる。
【００２６】
本発明の第３の実施形態によると、段階的伸縮機構は、図１２に示すように、外側スライダ４１と内側スライダ４２の相対スライド方向と直角に交差する方向（矢印Ｓａ及びＳｂ方向）にスライド可能とし、このスライド動で内側スライダ４２の係止凹部４３（４３ａ〜４３ｃ）に対する係脱を行なうようにした係止爪４４を有する。この係止爪４４は、図１３及び図１４に拡大して示すように、基端側から順に、係止部４５、ばね受け孔４６、爪部４７、及び押接受け面４８を有した構造とし、全体を平たい直方体状に形成する。
【００２７】
この係止爪４４は、外側スライダ４１に設けた係止爪組込み部４９に組み込む。そしてこの係止爪組込み部４９に係止爪４４の係止部４５と対になって係入不能状態維持手段となる係止受け体５０を設ける。この係止受け体５０は、第１の実施形態におけるのと同様にクリップ式とする。
【００２８】
第３の実施形態による段階的伸縮機構の伸縮動作は、係止爪４４の動作を除いて、全体的な伸縮動作については第１や第２の実施形態による段階的伸縮機構のそれと同じである。係止爪４４の係止凹部４３に対する係脱のための動作は、上記のように矢印Ｓａ及びＳｂの如きスライド動であり、このスライド動は、ばね受け孔４６を介して係入方向（矢印Ｓａ方向）に係止爪４４を付勢させる係入付勢手段５１、具体的には板ばね５１の付勢力と、外側スライダ４１又は内側スライダ４２を前進スライド方向に押した際に、爪部４７の外側面が係止凹部４３の内側面に押接することで生じる押接力の分力とにより生じる。
【００２９】
また係止爪４４に係入不能状態を与えるのは、第１の実施形態と同様にして内側スライダ４２に設けてある係入不能化用ガイド部５２である。すなわち最短に縮んだ状態でさらに外側スライダ４１又は内側スライダ４２を前進スライド方向に押すと、係止爪４４の爪部４７が係入不能化用ガイド部５２に押接し、これに伴って係止爪４４はその爪部４７の先端が内側スライダ４２の外面から外れる位置まで非係入方向（矢印Ｓｂ方向）にスライドする。そして、この非係入方向へスライドした状態は、係止部４５を係止受け体５０に嵌合させることで維持され、この間に、伸び方向付勢手段５３における圧縮コイルばね５４の付勢力で内側スライダ４２が自動的に後退スライドし、最長に伸びきった状態（図１２の状態）に戻る。
【００３０】
この状態に戻る際に、伸び方向付勢手段５３の先端に設け、内側スライダ４２と同調的に動くようにした押接手段である押接体５５の押接面５５ｆが係止爪４４の押接受け面４８に押接し、これで生じる押接力の分力により、係止爪４４が係入方向（矢印Ｓａ方向）にスライドし、その係止部４５が係止受け体５０から外れる。この結果、係止爪４４は、係入付勢手段５１による付勢力で係入方向へスライドすることが可能となる。
【００３１】
以上の実施形態による段階的伸縮機構を利用する実施形態について説明する。一つの実施形態は換気装置に利用する形態である。この実施形態による換気装置は、図１５に示すように、通気路部材６１、開度調節部材６２、及び上記実施形態による段階的伸縮機構で形成した作動手段６３を主な要素とする。
【００３２】
通気路部材６１は、その内部が通気路となる短円筒状に形成し、先端部には装飾的曲折を施した額縁６４を設ける。一方、開度調節部材６２は、側面に通気開口６５を複数形成した筒部６６、装飾用のフェイス部６３、及びフェイス部６３の中心から突設させた接続部６８を備えた構造とする。そして通気路部材６１に対し開度調節部材６２を摺接的に嵌合させ、この両部材を作動手段６３で連結する。
【００３３】
この換気装置は、開度調節部材６２を矢印Ｘの如く押すと、作動手段６３が上述したようにして段階的伸縮を行ない、これに伴って開度調節部材６２の通気開口６５が通気路部材６１により塞がれ、あるいはその塞がれ状態が解除し、これに応じて通気路部材６１における通気路の開度の調節がなされる。
【００３４】
次に自動車用のヘッドレストに利用する実施形態について説明する。この場合には図１６に示すように、シートの背もたれ７０に上記実施形態による段階的伸縮機構を用いた作動手段７１を２個一組にして組み込み、これにヘッドレスト７２を保持させる。
【００３５】
【発明の効果】
以上説明したように本発明による段階的伸縮機構は、多段的な伸縮を押すだけのワンタッチ式操作で行なうことができ、押す操作は行ない易くても引っ張る操作が困難である装置などの機構要素の機能性向上に寄与できる。
【図面の簡単な説明】
【図１】第１の実施形態による段階的伸縮機構の全体斜視図。
【図２】図１中のＳＡ−ＳＡ線に沿う断面図。
【図３】図２に対応する部分拡大断面図。
【図４】図２中の矢印ＤＡ方向から見た係止爪組込み部の拡大図。
【図５】係止爪が係止受け体に係止する状態の説明図。
【図６】第１の実施形態による段階的伸縮機構の動作説明図。
【図７】第２の実施形態による段階的伸縮機構の動作説を併せて示す図２相当の断面図。
【図８】図７の（ａ）中のＳＢ−ＳＢ線に沿う断面図。
【図９】外側スライダの図８相当の断面図。
【図１０】図７の（ａ）に対応する部分拡大断面図。
【図１１】図１０中のＳＣ−ＳＣ線に沿う部分拡大断面図。
【図１２】第３の実施形態による段階的伸縮機構の図２相当の断面図。
【図１３】係止爪と押接体の関係を示す拡大図。
【図１４】図１３中の矢印ＤＢ方向から見た係止爪の平面図。
【図１５】本発明による段階的伸縮機構を利用した換気装置の断面図。
【図１６】本発明による段階的伸縮機構を利用したヘッドレストの斜視図。
【符号の説明】
1,21,41   外側スライダ
2,23,42   内側スライダ
3,25,44   係止爪
4,27,51   係入付勢手段
5,30,53   伸び方向付勢手段
8   係止受け体（係止受け部）
10,22,43   係止凹部
11,32,52   係入不能化用ガイド部
12,26,47   爪部
14,29,45   係止部
28   係止受け突起（係止受け部）
50   係止受け体（係止受け部）
【図１】
0003753260.tif 000002
【図２】
0003753260.tif 000003
【図３】
0003753260.tif 000004
【図４】
0003753260.tif 000005
【図５】
0003753260.tif 000006
【図６】
0003753260.tif 000007
【図７】
0003753260.tif 000008
【図８】
0003753260.tif 000009
【図９】
0003753260.tif 000010
【図１０】
0003753260.tif 000011
【図１１】
0003753260.tif 000012
【図１２】
0003753260.tif 000013
【図１３】
0003753260.tif 000014
【図１４】
0003753260.tif 000015
【図１５】
0003753260.tif 000016
【図１６】
0003753260.tif 000017